(57)【要約】【課題】アイアンクラブによるショット・スイングの練習に際し、いわゆるターフを取るショットを体感習得できるようにする。【解決手段】ショット方向の後部から前部に至るに伴い次第に高くなる緩やかな上り傾斜面となるように底面に台座１０を設けた練習マット本体１を形成する。この練習マット本体１の前部に、ショットする仮想のゴルフボールＢ位置を表示するボール位置表示部２を形成し、これの周辺部分の平坦面３におけるボール位置表示部２の前方部位にはクラブヘッドが当たるターフ面部７を形成する。台座１０は、練習マット本体１の裏面で帯材を四辺枠状に配列して形成し、後部から前部に至る伴い次第に肉厚にする。平坦面３前部には、台座１０による練習マット本体１自体の上り傾斜面を平坦面３の前部においても維持する弾発材から成る弾発緩衝手段１５を設ける。【選択図】図１
0003124797.tif 000002
【実用新案登録請求の範囲】
【請求項１】
ショット方向の後部から前部に至るに伴い次第に高くなる緩やかな上り傾斜面となるように底面に台座を設けた練習マット本体の前部に、ショットする仮想のゴルフボール位置を表示するボール位置表示部を形成すると共に、ボール位置表示部の周辺部分は平坦面となし、この平坦面におけるボール位置表示部の前方部位にはクラブヘッドが当たるターフ面部を形成してあることを特徴とするアイアンクラブ用ゴルフ練習マット。
【請求項２】
ターフ面部の左右側方のいずれかに練習マット本体の後方から前方に至るに伴い順次に小さくなる複数の外郭形から成っているターフ表示部を形成してある請求項１に記載のアイアンクラブ用ゴルフ練習マット。
【請求項３】
台座は、練習マット本体の裏面で、練習マット本体の両側縁、後側縁、ボール位置表示部の後縁位置夫々に帯材を四辺枠状に配列することで形成すると共に、これらの帯材は後部から前部に至る伴い次第に肉厚になるように設定してある請求項１または２に記載のアイアンクラブ用ゴルフ練習マット。
【請求項４】
平坦面前部の底面には弾発緩衝手段を設けてあって、この弾発緩衝手段は、台座による練習マット本体自体の上り傾斜面を平坦面の前部においても維持する弾発材から成っている請求項１乃至３のいずれかに記載のアイアンクラブ用ゴルフ練習マット。
【請求項５】
平坦面後部には、スリット状の立脚切込線を幅員方向に沿って設けてある請求項１乃至４のいずれかに記載のアイアンクラブ用ゴルフ練習マット。
【考案の詳細な説明】
【技術分野】
【０００１】
この考案はゴルフにおけるアイアンクラブによるショット・スイングの練習に際し、いわゆるターフを取るショットをゴルフボールを打つことなく素振りのみでも体感習得できるようにしたアイアンクラブ用ゴルフ練習マットに関する。
【背景技術】
【０００２】
従来からゴルフにおけるショット・スイングの練習に際し、練習用のゴム材製マット上に載置したゴルフボールを打つのが一般的な練習方法として実践されている。ゴルフボールを打つときにはプレーヤー自身のスイング姿勢がリズミカルにスムーズに正しくなっていれば、クラブヘッドの打球（フェース）面がゴルフボールをしっかり捉え、所定の飛距離を得ることができる。そのため、プレーヤーは所定のスイング姿勢が一定のものとなるように繰り返し練習し、それがコース上で実践できるように習得している。また、特にアイアンクラブを使用したショットは、ゴルフボールに対し所定の角度で入り、打球後にゴルフボールの前方部分のグランド面を抉るように、いわゆるターフを取るのがよいとされている。
【０００３】
ただ、ショット練習をすべく従来から提案されている数多くのゴルフ練習マットは、練習場等の練習場所でショットすべきグランド面を模擬的に実現しているにすぎない。例えば特許文献１に示すようにラフ部、フェアウェア部を人工芝の長短によって形成したものとしたり、特許文献２に示すようにボールの載置面に高低差を設定したものとしたり等している。また特にターフを取る練習ができるように、特許文献３乃至５に示すようにマット部材の表面上でショットしたクラブの軌跡がマット部材の表面に一時的にでも残置・記録されるよう異なる色彩を表示するとしている。
【０００４】
一方、ゴルフボールの手前を叩く、いわゆるダフリがないように練習させる練習マットが例えば特許文献６，７として提案されている。これらはダフった場合にマット自体の表面を一時的に窪ませて異なる軌道で打ち出させるようにしたり、マット自体を水平方向に移動させて確実なミスショットとなるようにしたりしている。
【特許文献１】実開平５−２４０７４号公報
【特許文献２】実開平６−２１６６０号公報
【特許文献３】実開平５−２７７２１８号公報
【特許文献４】実開平７−５７９号公報
【特許文献５】実開平７−３１７０７号公報
【特許文献６】登録実用新案第３０７４３７０号公報
【特許文献７】特開２００１−２９５２７号公報
【考案の開示】
【考案が解決しようとする課題】
【０００５】
ところがこれらの従来から提案されているゴルフ練習マットは、実際にゴルフボールを置き、それをショットするものとしている。すなわち、実際にゴルフボールを打つから、広い練習場で使用するか、あるいは紐付のゴルフボールを使用するしかない。特に、ゴルフボールを打たずに単に素振りをすることでイメージトレーニング法で練習するときには、実際のゴルフボールを打つ感じをつかむことができず、素振りのスイングは良くても実際のショットが満足されるものとなるのは少なかった。
【０００６】
しかして、ショットの練習に際し的確なスイング軌道である場合、ゴルフボールをフェースが正確に捉えると打撃音も良く、練習マット自体の表面の損傷も少ない。ところが従来の上述した練習マットでは、特にターフを取るような場合には例えば特許文献３乃至５にあるようにマット面におけるクラブヘッドとの衝撃に伴い色彩が変化するとしても、それが充分なものであるか否かの判定が困難であった。そればかりでなく、マット自体がゴム材製である程度の弾力性があるとしても、練習床面上に直接に載置することが多いから、クラブヘッドのマット面に対する衝撃が直接に練習者に伝わる等の不都合がある。
【０００７】
そこでこの考案は叙上のような従来存した諸事情に鑑み案出されたもので、実際にゴルフボールを打たなくても特にターフを取るようなゴルフショットの練習に好適で、素振りによるアイアンクラブのショット時の練習マット自体に対する衝撃・打撃音によってこれを簡単に判定できるようにする。また、マット自体に対する衝撃・打撃等によっても練習者の手、腕、肩等にそれらが伝達されず、身体に障害を与えることもなく安心して使用可能にする。しかも、ゴルフボールを直接に実際に打つ必要もなくして、素振り可能な場所であればどこでも簡単に使用できる簡便性を得るようにする。更にいわゆるダフリ等をも解消できるような的確なスイング軌道を繰り返し練習できるアイアンクラブ用ゴルフ練習マットを提供することを目的とする。
【課題を解決するための手段】
【０００８】
上述した課題を解決するため、この考案にあっては、ショット方向の後部から前部に至るに伴い次第に高くなる緩やかな上り傾斜面となるように底面に台座１０を設けた練習マット本体１の前部に、ショットする仮想のゴルフボールＢ位置を表示するボール位置表示部２を形成すると共に、ボール位置表示部２の周辺部分は平坦面３となし、この平坦面３におけるボール位置表示部２の前方部位にはクラブヘッドが当たるターフ面部７を形成してあることを特徴とする。
ターフ面部７の左右側方のいずれかに練習マット本体１の後方から前方に至るに伴い順次に小さくなる複数の外郭形から成っているターフ表示部８を形成してある。
台座１０は、練習マット本体１の裏面で、練習マット本体１の両側縁、後側縁、ボール位置表示部２の後縁位置夫々に帯材を四辺枠状に配列することで形成すると共に、これらの帯材は後部から前部に至る伴い次第に肉厚になるように設定してある。
平坦面３前部の底面には弾発緩衝手段１５を設けてあって、この弾発緩衝手段１５は、台座１０による練習マット本体１自体の上り傾斜面を平坦面３の前部においても維持する弾発材から成っている。
また、平坦面３後部には、スリット状の立脚切込線６を幅員方向に沿って設けてある。  
【０００９】
以上のように構成されたこの考案に係るアイアンクラブ用ゴルフ練習マットにあって、練習マット本体１におけるボール位置表示部２にゴルフボールＢを載置したイメージの下で、その仮想のゴルフボールＢを打つようにショットするとき、クラブヘッドの軌道における最下点位置の手前で打撃すれば、そのままクラブヘッドはターフ面部７に当たることになる。このターフ面部７では、練習マット本体１底面の台座１０が直接に支持せずに空洞状となっていることで、所定の打撃音を発生し、この打撃音が一定となるように繰り返しスイング（素振り）することで、好ましいスイング軌道によるショットを体感習得させる。
ターフ面部７側方のターフ表示部８における複数の外郭形は、その位置でクラブヘッドが当たるときの衝撃音が異なることを表示し、またクラブヘッドがターフを取るときの好ましい位置を明らかにさせる。
帯材を四辺枠状に配し、後部から前部に至るに伴い次第に高くなる台座１０は、練習マット本体１の前部側への上り傾斜面を設定し、平坦面３におけるターフ面部７に対するクラブヘッドの当たりを調整させる。またクラブヘッドが当たる平坦面３の前部底面は台座１０部分がないことで、クラブヘッドが当たったときの衝撃をクラブヘッド自体に直接に伝達させず、これを緩和させる。
弾発緩衝手段１５は平坦面３前部の底面に設けられることで、平坦面３前部の上り傾斜面を維持し、クラブヘッドが当たったときの衝撃を緩和して練習者にその衝撃を伝達させず、また衝撃後では原位置に復帰させて次動作に備える。
更にはボール位置表示部２後方位置の立脚切込線６に適当な邪魔部材Ｒを立脚させることで、これを回避するような練習の繰り返しによっていわゆるダフリをしないようなスイング軌道を習得させる。
【考案の効果】
【００１０】
この考案は以上説明したように構成されているため、特にターフを取るようなゴルフショットの練習に好適で、特にアイアンクラブのショット時の練習マット本体１におけるターフ面部７自体の所定位置に対する衝撃・打撃音によって所定のターフがとれたか否かを簡単に判定でき、その打撃音の相違を意識してスイングアークを体で覚えることで、実際のゴルフボールを打つことなく効率的に練習できる。また、練習マット本体１自体に対する衝撃・打撃等によっても練習者の手、腕、肩等にそれらが伝達されず、身体に障害を与えることもなく安心して使用できる。更にいわゆるダフリ等をも解消できるような的確なスイング軌道を繰り返し練習できる。
【００１１】
しかも、これはゴルフボールＢを実際に打つことなく単なる素振りによっても体感でき、ゴルフボールＢを実際に打つ必要がないから、素振りができる場所であればどこでも簡単に練習できる利点がある。
【００１２】
すなわちこれはこの考案において、ショット方向に対し上り傾斜面となる練習マット本体１の前部に、ショットする仮想のゴルフボールＢ位置を表示するよう形成したボール位置表示部２の周辺部分は平坦面３となし、この平坦面３におけるボール位置表示部２の前方部位にはクラブヘッドが当たるターフ面部７を形成したからである。これによって、単なる素振りによってもスイング軌道の最下点手前でのゴルフボールＢに対するヒットの習得、体感学習によるいわゆるボールを捕まえるアイアンクラブのスイングテクニックの自然習得、衝撃時の衝撃音の相違を意識したターフを取るクリーンヒットの習得等を可能にする。
【００１３】
またターフ面部７側方のターフ表示部８は、練習マット本体１の後方から前方に至るに伴い順次に小さくなる複数の外郭形から成っているから、その外郭形位置に相当する位置でクラブヘッドが練習マット本体１に当たるときの衝撃音が異なることを表示する目印となる。したがって、その衝撃音の相違によって、それを意識してスイングすることでクラブヘッドがターフを取るときの好ましい位置を明らかにでき、練習時のスイング軌道の矯正に役立つ。
【００１４】
台座１０は、練習マット本体１の両側縁、後側縁、ボール位置表示部２の後縁位置夫々に帯材を四辺枠状に配列することで練習マット本体１の底面に形成し、その肉厚勾配によって練習マット本体１面を上り傾斜面に形成しているから、平坦面３におけるターフ面部７に対するクラブヘッドの衝撃時の当たりを調整できる。この調整によってターフを取る位置を練習者夫々の目安とすることで、練習者夫々に対応したスイング軌道の矯正を夫々に対応して個々に習得できる。
【００１５】
またターフ面部７は、台座１０の前縁位置の帯材がボール位置表示部２の後縁に位置し、ターフ面部７自体の底面には台座１０がないことで、ターフ面部７へのクラブヘッドの衝撃時ではターフ面部７自体が撓み、その衝撃を練習者の手、腕、肩等に伝達せず、身体を損傷させない。
【００１６】
しかも平坦面３の前部であるターフ面部７の底面には弾発緩衝手段１５を設けてあり、この弾発緩衝手段１５がターフ面部７に対してのクラブヘッドの衝撃を一層緩和させ、練習者にその衝撃を直接に伝達させない。更にターフ面部７への衝撃後ではその衝撃によって窪んでも原位置に復帰させて次動作に備え、繰り返しのスイング練習に何らの支障も生じさせない。
【００１７】
平坦面３後部には、スリット状の立脚切込線６を幅員方向に沿って設けてあるから、この立脚切込線６に適当な段ボール紙製等の邪魔部材Ｒを高さ調整自在にして立脚させることで、これを回避するようなスイング練習の繰り返しによっていわゆるダフリをしないようなスイング軌道を習得できる。
【００１８】
尚、上記の課題を解決するための手段、考案の効果の項夫々において付記した符号は、図面中に記載した構成各部を示す部分との参照を容易にするために付したもので、図面中の符号によって示された構造・形状にこの考案が限定されるものではない。
【考案を実施するための最良の形態】
【００１９】
以下図面を参照してこの考案を実施するための最良の一形態を説明すると、図において示される符号１は例えば安全が確認できる素振り可能な広さがある床面等の所定の練習場所に載置される練習マット本体である。この練習マット本体１は平面で例えば長矩形状の所定肉厚のゴム板材にて形成され、ショット方向の後部から前部に至るに伴い次第に高くなる緩やかな上り傾斜面となるように底面には台座１０を設けてある。尚、練習マット本体１自体は、例えば幅員が１８０ｍｍ、前後の沿う長さが３６０ｍｍ程度の大きさとし、また、前後に沿う高さは約１０ｍｍ程度としてあるも、これに限定されない。また、実際のコースにおけるショットに際し、プレーヤーはフェアウエー等で自身の体重等で例えば２０ｍｍ程度が沈むことを考慮し、これに対応して練習場所の載置面上で例えば２０ｍｍの高さを備えて載置される。
【００２０】
練習マット本体１には、ショットすべく置かれる仮想のゴルフボールＢ位置を表示するボール位置表示部２が前部側に例えば孔状に開口することで形成されている。このボール位置表示部２の周辺部分は練習マット本体１自体の生地面がそのまま露出している平坦面３となっており、練習マット本体１の後部側部分及び前部側の両側部分には人工芝材が植設されることで疑似芝面５となっている。尚、ボール位置表示部２は図示にあっては練習マット本体１に穿設開口した孔状とすることなく、孔を穿設せずに適宜な着色でその区域を表示しても良い。また、疑似芝面５区域では、図示のようにバックスイング時の軌道線の目安となる例えば白線が表示されている。図において仮想のゴルフボールＢが描かれているが、実際にはこのゴルフボールＢは使用されない。
【００２１】
また、平坦面３には、ボール位置表示部２の後縁に同じく後縁を合致させて例えば白色を帯びているゴルフボール大状の円形の表示部４をボール位置表示部２の前方位置で表示形成してある。ボール位置表示部２の後方には、複数条例えば２条にしたスリット状の立脚切込線６を幅員方向に沿って設けてある。この立脚切込線６には、所定高さとなる例えば紙片製による邪魔部材Ｒを高さ調整自在に挿入しておき、スイング時のクラブヘッドがこの邪魔部材Ｒに当たらないようにすることで所定のスイング軌道を修正し、また習得できるように配慮してある。
【００２２】
平坦面３の前部は、素振りスイング時のクラブヘッドが当たるターフ面部７となっている。またこのターフ面部７の左右側方のいずれかの疑似芝面５部位には、練習マット本体１の後方から前方に至るに伴い順次に小さくなるように複数例えば３個の円形状の外郭形から成るターフ表示部８を形成してある。すなわちアイアンクラブのショット時に、ゴルフボールＢを打撃後のクラブヘッドが取る望ましいターフ位置を示している。このターフ面部７及びターフ表示部８において、後方位置にある最大形状の外郭形位置ではいわゆる番手が大きいアイアンクラブ例えばピッチング、サンド、アプローチ用のクラブにおける望ましいターフ位置を示している。また前方位置にある最小形状の外郭形位置ではいわゆる番手が小さいアイアンクラブ例えば７番・６番用のクラブにおける望ましいターフ位置を示している。中央位置の中形状の外郭形位置では同様にいわゆる８番・９番等のクラブにおけるターフ位置を同様に示している。また、ターフ表示部８における外郭形は円形状としてあるも、これに限定されず、その大小の配列も逆になったり、場合によっては数字によって表示されるものとしても良い。
【００２３】
尚、平坦面３において、後部側幅員に比し前部側幅員はやや狭くなるようにテーパー状に次第に幅狭にしてあるもこれに限定されず、矩形状でも差し障りない。また、この平坦面３は、例えば前部側幅員は１００ｍｍ、前後に沿う長さは１４０ｍｍ程度としてあるも、これに限定されないことは勿論である。
【００２４】
台座１０は、練習マット本体１の裏面で、練習マット本体１の両側縁、後側縁、ボール位置表示部２の後縁位置夫々に所定の帯状、例えばゴム帯材にて四辺枠状に配列固定することで形成し、これらの帯板は後部から前部に至るに伴ない次第に高くすなわち肉厚になるように設定してある。特に後側縁側のゴム帯材は他の三辺のゴム帯材に比しほぼ２倍程度の幅員として練習場所等の載置面に載置し、ショット・スイング練習時に練習マット本体１自体を打撃したとき等のスライド移動に対して大きな摩擦を生じさせてこれを阻止するようしている。
【００２５】
この四辺枠状の台座１０によれば、練習マット本体１の前部であるターフ面部７下面には載置面に対する直接の支持部材がないことで、ショット・スイング練習時にクラブヘッドが平坦面３前部でターフを取るときのクラブヘッドに対する衝撃を緩和するように配慮してある。
【００２６】
図示にあっては平坦面３前部における上り傾斜面の傾斜角度を維持し、クラブヘッドによる打撃時の衝撃緩和及び原位置に復帰させる弾発緩衝手段１５を設けてある。すなわちこの弾発緩衝手段１５は、台座１０による練習マット本体１自体の上り傾斜面を平坦面３の前部においても維持する例えば板バネ製弾発材から成っている。図示にあっては練習マット本体１底面の両側縁と、この両側縁に固着した台座１０の帯材との間に挟み込み固定し、前端部分を練習マット本体１前部の裏面に配置する所定肉厚の帯板状の板バネ材としてあって、練習マット本体１の前部の両側縁下面の板バネ材部分は適当なカバー材にて覆ってある。こうすることで練習マット本体１の平坦面３の前部を上り傾斜面状に支持し、クラブヘッドの打撃時には下方に押し込まれ退避して衝撃を緩和し、その後は速やかに原位置に復原し、次動作に備える。
【００２７】
また、このように弾発材によって平坦面３の前部を支持することで、この部分のいわゆる下方へのへたりを防止し、上り傾斜面となっているターフ面を維持する。尚、この弾発緩衝手段１５は、図示を省略したが、後部側が閉鎖され、前部側が開放されている側面ほぼ開放台形状乃至山形三角形状等を呈する二股状に形成された板バネ材としたり、コイルスプリング製の弾発材としたりしても良く、適宜に選定できる。
【００２８】
次にこれの使用の一例を説明する。安全が確認できるような、ゴルフクラブＣをスイングできる適当な練習場所等における載置面に練習マット本体１を載置する。このときショット方向の前部に平坦面３を、後部に疑似芝面５を位置させ、前部が高くなるようにして練習マット本体１を載置する。そして必要があれば、立脚切込線６に所定高さを有する段ボール紙製等の邪魔部材Ｒを適当な高さとなるように調整して差し込み立てておく。次いでボール位置表示部２に仮想のゴルフボールＢが載置セットされたものとして、その仮想のゴルフボールＢをゴルフクラブＣで打撃するように素振りでショットする。
【００２９】
ゴルフクラブＣによる仮想のゴルフボールＢに対する打撃時では、ボール位置表示部２の前方部分である平坦面３のターフ面部７を打撃することになり、ターフ面部７との打撃音を生じる。この打撃音は、平坦面３が前方に至るに伴い次第に位置的に高くなるターフ面部７のいずれかの部位との衝撃音であるから、ボール位置表示部２の近くではやや高音となり、離れるにしたがって次第に低音となる。ショット時に常時一定音域の打撃音となるようにすることで、所定のターフが取れていることを体感認識できる。またゴルフボールＢの後方を叩くような、いわゆるダフリとなるときには鈍い音がし、しかも邪魔部材Ｒを打撃することになり、この邪魔部材Ｒを破損していることで、ダフリを認識できる。
【００３０】
また、ターフ面部７に対する衝撃がない場合には、いわゆるトップ気味のスイングとなっているから、これを意識してその矯正を行うようにする。したがって、打撃時のターフ面部７に対する衝撃音の相違を意識してスイングすることでクリーンヒットを体感習得できる。
【００３１】
このように、ゴルフボールＢを直接に打撃することなく、素振り練習によってもターフ面部の所定位置を打撃するようにすれば良いから、ターフ面部７との衝撃音を聴別することでアイアンクラブにおけるスイングショットの練習を可能にする。
【００３２】
尚、ターフ面部７に対する打撃時には、ゴルフクラブＣがこれを相当に強く打撃したとしても、練習マット本体１底面に設けた弾発緩衝手段１５がそれを緩衝し、練習者にその衝撃を伝達しない。
【図面の簡単な説明】
【００３３】
【図１】この考案を実施するための最良の形態を示す斜視図である。
【図２】同じく側断面図である。
【図３】同じく平面図である。
【図４】同じく底面図である。
【符号の説明】
【００３４】
Ｃ…ゴルフクラブ                        Ｂ…ゴルフボール
Ｒ…邪魔部材
１…練習マット本体                      ２…ボール位置表示部
３…平坦面                              ４…表示部
５…疑似芝面                            ６…立脚切込線
７…ターフ面部                          ８…ターフ表示部
１０…台座                              １５…弾発緩衝手段
【図１】
0003124797.tif 000003
【図２】
0003124797.tif 000004
【図３】
0003124797.tif 000005
【図４】
0003124797.tif 000006